(57)【要約】【課題】端子カバーの浮き上がりを抑制する。【解決手段】本明細書によって開示されるバッテリ端子ユニット１０は、バッテリ本体Ｂに設けられたバッテリポストＢ１に取り付けられるバッテリ端子ユニット１０であって、バッテリポストＢ１に接続固定されるバッテリ端子２０と、電線Ｗの端末に接続され、バッテリ端子２０の後部に設けられた端子接続部２３に接続固定される電線端子５０と、電線端子５０に係止してバッテリ端子２０および電線端子５０を一括して覆って保護する端子カバー６０と、端子カバー６０において電線端子５０に係止する部分とは前後方向にずれて設けられ、電線端子５０に端子カバー６０が係止した際に、電線端子５０の嵌合片５６と嵌合して前後方向に当接可能に近接して配される傾き抑制凹部とを備えるところに特徴を有する。【選択図】図１
2016095912.tif 000002
【特許請求の範囲】
【請求項１】
バッテリ本体に設けられたバッテリポストに取り付けられるバッテリ端子ユニットであって、
前記バッテリポストに接続固定され、同バッテリポストから離れるようにして後方に延びるバッテリ端子と、
電線の端末に接続され、前記バッテリ端子の後部に設けられた端子接続部に接続固定される電線端子と、
前記電線端子に係止して前記バッテリ端子および前記電線端子を一括して覆って保護する端子カバーと、
前記端子カバーにおいて前記電線端子に係止する部分とは前後方向にずれて設けられ、前記電線端子に前記端子カバーが係止した際に、前記バッテリ端子もしくは前記電線端子の少なくとも何れか一方と前後方向に当接可能に近接して配される傾き抑制部とを備えるバッテリ端子ユニット。
【請求項２】
前記バッテリ端子もしくは前記電線端子の少なくとも何れか一方には、前記端子カバーを前記電線端子に係止させる際に、前記端子カバーと前記電線端子とが係止する係止方向に前記傾き抑制部と嵌合して前後方向に近接して配される嵌合部が設けられている請求項１に記載のバッテリ端子ユニット。
【請求項３】
前記嵌合部は、バッテリ本体の後方に配されている請求項２に記載のバッテリ端子ユニット。
【請求項４】
前記電線端子は、前記端子接続部に接続されるバッテリ側接続部と、前記バッテリ側接続部から後方に延びて前記バッテリ本体の後面に沿うように屈曲された延出部とを有しており、
前記嵌合部は、前記延出部に設けられている請求項２または請求項３に記載のバッテリ端子ユニット。
【請求項５】
前記傾き抑制部は、前記嵌合部が内部に嵌合可能なように凹んで設けられ、
前記嵌合部は、前記延出部の側縁に嵌合方向に延びて形成されることにより、前記傾き抑制部と面接触可能とされている請求項４に記載のバッテリ端子ユニット。
【請求項６】
前記端子カバーの後面には、前記延出部と前後方向に近接して配される補助抑制部が設けられている請求項４または請求項５に記載のバッテリ端子ユニット。
【発明の詳細な説明】
【技術分野】
【０００１】
本明細書によって開示される技術は、カバーを備えたバッテリ端子ユニットに関する。
【背景技術】
【０００２】
例えば、バッテリの接続端子を覆う保護カバーとして、特開２０１０−１０８７８５号公報（下記特許文献１）が知られている。保護カバーは、接続端子を覆う端子保護部と、ヒューズユニットの後部を保護するヒューズユニット保護部と、端子保護部の後端部とヒューズユニットの前端部とを前後方向に連結するヒンジ部とを備えて構成されている。ヒンジ部は下方に湾曲した形態をなしており、ヒンジ部の底部でヒューズユニットを押さえつけることにより、保護カバーのがたつきを抑制している。
【先行技術文献】
【特許文献】
【０００３】
【特許文献１】特開２０１０−１０８７８５号公報
【発明の概要】
【発明が解決しようとする課題】
【０００４】
ところで、上記のカバーによると、端子保護部の後端部にヒンジ部が設けられているため、ヒューズユニットにヒンジ部を押さえつけると、ヒンジ部が連結された端子保護部の後端部を支点に端子保護部の前端部に浮き上がりが生じる虞がある。端子保護部が浮き上がると、保護カバーによって接続端子を完全に覆うことができず、接続端子を保護することができなくなってしまう。
【０００５】
本明細書では、カバーの浮き上がりを抑制する技術を開示する。
【課題を解決するための手段】
【０００６】
本明細書によって開示される技術は、バッテリ本体に設けられたバッテリポストに取り付けられるバッテリ端子ユニットであって、前記バッテリポストに接続固定され、同バッテリポストから離れるようにして後方に延びるバッテリ端子と、電線の端末に接続され、前記バッテリ端子の後部に設けられた端子接続部に接続固定される電線端子と、前記電線端子に係止して前記バッテリ端子および前記電線端子を一括して覆って保護する端子カバーと、前記端子カバーにおいて前記電線端子に係止する部分とは前後方向にずれて設けられ、前記電線端子に前記端子カバーが係止した際に、前記バッテリ端子もしくは前記電線端子の少なくとも何れか一方と前後方向に当接可能に近接して配される傾き抑制部とを備えるところに特徴を有する。
【０００７】
このような構成のバッテリ端子ユニットによると、傾き抑制部がバッテリ端子もしくは電線端子の少なくとも何れか一方と前後方向に当接して支持されることにより、端子カバーが電線端子に係止した部分を支点に傾いて浮き上がることを抑制することができる。これにより、端子カバーの浮き上がりに起因してバッテリ端子や電線端子に不具合が生じることを防ぐことができる。
【０００８】
本明細書によって開示される技術の態様として、以下の構成が好ましい。
前記バッテリ端子もしくは前記電線端子の少なくとも何れか一方には、前記端子カバーを前記電線端子に係止させる際に、前記傾き抑制部と嵌合して前後方向に近接して配される嵌合部が設けられている構成としてもよい。
このような構成によると、電線端子に対して端子カバーを係止させる際に、傾き抑制部と嵌合部とを近接して配置し、前後方向に当接させることができる。これにより、電線端子に端子カバーを係止させる作業と、傾き抑制部と嵌合部とを近接して配置する作業とを個別に行う場合に比べて、作業工数を削減することができる。
【０００９】
前記嵌合部は、バッテリ本体の後方に配されている構成としてもよい。
例えば、バッテリポスト周辺に他の部材が配されるなどしてスペースが制限されている場合、バッテリ端子に嵌合部を設けると、バッテリ端子が大型化することで、バッテリ端子と他の部材とが干渉する虞がある。ところが、上記のような構成によると、バッテリの後方に嵌合部を設けているから、バッテリ端子ユニットと他の部材との干渉を防ぎつつ、端子カバーが傾いて浮き上がることを抑制することができる。
【００１０】
前記電線端子は、前記端子接続部に接続されるバッテリ側接続部と、前記バッテリ側接続部から後方に延びて前記バッテリ本体の後面に沿うように屈曲された延出部とを有しており、前記嵌合部は、前記延出部に設けられている構成としてもよい。
このような構成によると、端子カバーが係止する電線端子に嵌合部が設けられており、その嵌合部と傾き抑制部とが前後方向に当接することになるから、端子カバーが係止する部分と嵌合部との相対位置を精度よく位置決めすることができる。これにより、例えば、端子カバーが係止される電線端子とは異なるバッテリ端子に嵌合部を設ける場合に比べて、組み付けのずれなどによる端子カバーの前後方向のがたつきや端子カバーの傾きをさらに抑制することができる。
【００１１】
前記傾き抑制部は、前記嵌合部が内部に嵌合可能なように凹んで設けられ、前記嵌合部は、前記延出部の側縁に嵌合方向に延びて形成されることにより、前記傾き抑制部と面接触可能とされている構成としてもよい。
このような構成によると、嵌合部と傾き抑制部とが前後方向に接触する面積が嵌合方向に大きくなるから、電線カバーが、電線端子に係止した部分を支点に傾くことをさらに抑制することができる。
【００１２】
前記端子カバーの後面には、前記延出部と前後方向に近接して配される補助抑制部が設けられている構成としてもよい。
このような構成によると、傾き抑制部に加えて補助抑制部を追加することにより、電線端子に対して前後方向に当接する面積を増やすことができるから、端子カバーが傾くことをさらに抑制することができる。
【発明の効果】
【００１３】
本明細書によって開示される技術によれば、カバーの浮き上がりを抑制することができる。
【図面の簡単な説明】
【００１４】
【図１】バッテリ端子ユニットの断面図
【図２】バッテリ端子に電線端子が組み付けられた状態を示す平面図
【図３】同側面図
【図４】同背面図
【図５】端子カバーの正面図
【図６】同底面図
【図７】図５のＡ−Ａ線断面図
【発明を実施するための形態】
【００１５】
＜実施形態＞
実施形態について図１から図７を参照して説明する。
本実施形態は、図１に示すように、車両に搭載されるバッテリのバッテリ本体Ｂに設けられたバッテリポストＢ１に接続固定されるバッテリ端子ユニット１０を例示している。なお、以下の説明において、上下方向とは図１、図４および図５における上下方向を基準とし、左右方向とは図４および図５における左右方向を基準とする。また、前後方向とは図１における左右方向を基準とし、バッテリポストＢ１に接続される側を前側とし、電線Ｗが引き出される側を後側として説明する。
【００１６】
バッテリは、図１に示すように、バッテリ本体Ｂの後端部に略円柱状のバッテリポストＢ１が立設されたポスト設置面Ｂ２を有している。このポスト設置面Ｂ２は、バッテリ本体Ｂの上面から一段下がった位置に設けられており、ポスト設置面Ｂ２は、前方および左右方向の一方がバッテリ本体Ｂの壁部によって囲まれた狭い空間とされている。
【００１７】
バッテリ端子ユニット１０は、図１に示すように、バッテリポストＢ１に接続固定されるバッテリ端子２０と、電線Ｗの端末に接続されてバッテリ端子２０にボルト接続される電線端子５０と、バッテリ端子２０と電線端子５０とを覆って保護する端子カバー６０とを備えて構成されている。
【００１８】
バッテリ端子２０は、図２から図４に示すように、バッテリポストＢ１に嵌合可能な金属製の端子本体２１と、端子本体２１の後端に固定された合成樹脂製の回動抑制部材３０と、端子本体２１を締め付けてバッテリポストＢ１に端子本体２１を密着させる締付部材４０とを備えて構成されている。
【００１９】
端子本体２１は、導電性に優れた金属板材にプレスなどの加工を行うことにより形成されている。端子本体２１は、バッテリポストＢ１に嵌合されるポスト嵌合部２２の後方に端子接続部２３が一体に連設された形態をなしている。
【００２０】
ポスト嵌合部２２は、図２に示すように、前方に開口した形態でバッテリポストＢ１の外周面に沿うように略円弧状に形成されている。ポスト嵌合部２２の内径は、バッテリポストＢ１の外形よりも僅かに大きく設定されており、ポスト嵌合部２２の内側にバッテリポストＢ１が下方から嵌合可能とされている。
【００２１】
ポスト嵌合部２２の前端には、左右一対の被締付片２４が設けられている。一対の被締付片２４は、ポスト嵌合部２２から左右に対向するように前方に向けて延出された板状に形成されており、一対の被締付片２４には、左右方向に貫通する締付部材４０が組み付けられている。
【００２２】
締付部材４０は、図２に示すように、締付ボルト４１に締付ナット４５が組み付けられたものであって、締付ボルト４１は、四角状の頭部４２から軸部４３が延出された一般的な構造である。軸部４３は、一対の被締付片２４に連続して挿通されており、図２に示すように、頭部４２の後面がポスト嵌合部２２の前端に当接することで、締付ボルト４１が回り止めされるようになっている。
【００２３】
締付ナット４５は、締付ボルト４１の軸部４３に締め付けられることで、締付ボルト４１の頭部４２と共に一対の被締付片２４を左右両側から挟み込み、一対の被締付片２４の間隔を左右方向に狭めることで、ポスト嵌合部２２を縮径させる。これにより、ポスト嵌合部２２がバッテリポストＢ１の外周面に密着し、図１に示すように、端子本体２１がバッテリポストＢ１に接続固定される。
【００２４】
端子接続部２３は、図２から図４に示すように、電線端子５０が上方から載置される平面視略矩形の取付台２５にスタッドボルト２６が保持された形態をなしている。取付台２５は、金属板材を二つ折りにすることで後端に開口する扁平な箱形状に形成されており、取付台２５の上面に電線端子５０が載置されるようになっている。
【００２５】
取付台２５の内部には、スタッドボルト２６の図示しない頭部が回り止めされた状態で収容されており、スタッドボルト２６が取付台２５の上板を下方から貫通し、上方に立ち上がった状態で取付台２５に保持されている。
【００２６】
電線端子５０は、導電性に優れた金属板材にプレスなどの加工を行うことにより略Ｌ字状に形成されており、端子接続部２３にボルト接続されるバッテリ側接続部５１と、電線Ｗが接続される電線接続部５３と、バッテリ側接続部５１と電線接続部５３とを前後方向に繋ぐ繋ぎ部（「延出部」の一例）５２とを備えて構成されている。
【００２７】
バッテリ側接続部５１は前後方向に長い平板状をなしており、バッテリ側接続部５１の前部には、端子接続部２３のスタッドボルト２６が挿通されるボルト挿通孔５４が設けられている。言い換えると、バッテリ側接続部５１は、スタッドボルト２６やバッテリポストＢ１から離れるように後方に延びた形態をなしている。
【００２８】
ボルト挿通孔５４は、バッテリ側接続部５１を板厚方向に貫通して形成されており、このボルト挿通孔５４にスタッドボルト２６を挿通し、スタッドボルト２６にナット２７を締め付けることでバッテリ側接続部５１が取付台２５の上面にボルト接続され、端子接続部２３と電線端子５０とが電気的に接続されている。
【００２９】
繋ぎ部５２は、バッテリ側接続部５１から後方に延びて、その後端において前後方向と直交する下方に屈曲された後、バッテリ本体Ｂの後面Ｂ３に沿うように下方に延出された形態とされており、繋ぎ部５２の下端部に電線接続部５３が連設されている。
【００３０】
電線接続部５３は一対のバレル５５を有しており、一対のバレル５５が電線Ｗの端末において露出された図示しない芯線に圧着されることで、電線Ｗの端末に電線端子５０が接続されるようになっている。
【００３１】
取付台２５の後端部には、合成樹脂製の回動抑制部材３０が固定されている。回動抑制部材３０は、図１から図４に示すように、端子接続部２３の取付台２５に圧入固定される固定部３１と、固定部３１の後端に設けられた回動抑制部３２とを備えて構成されている。固定部３１は、取付台２５の外周を全周に亘って囲む略矩形枠状に形成されており、固定部３１の後側内周縁に設けられた図示しない圧入部を取付台２５の後端開口内に圧入することで、取付台２５に圧入固定されている。
【００３２】
回動抑制部３２は、図１、図３および図４に示すように、固定部３１の後端縁部から下方に向けて延びる平板状に形成されている。回動抑制部３２は、端子本体２１のポスト嵌合部２２がバッテリポストＢ１に嵌合されると、図１に示すように、回動抑制部３２の前面がバッテリ本体Ｂの後面Ｂ３と対向するようにしてバッテリ本体Ｂの後面Ｂ３に沿って配されるようになっており、端子本体２１がバッテリポストＢ１を中心に回動変位しようとする際に、回動抑制部３２がバッテリ本体Ｂの後面Ｂ３に当接することで、バッテリ端子２０が正規の位置から位置ずれすることを防ぐようになっている。
【００３３】
端子カバー６０は、図１に示すように、上方から組み付けることによりバッテリ端子２０の前端からバッテリ端子２０に接続固定された電線端子５０までのほぼ全体を覆う覆い部６１と、覆い部６１の後端に一体に設けられた電線取付部６２とを備えて構成されている。電線取付部６２は、電線端子５０から後方に引き出された電線Ｗに外嵌されるようになっており、端子カバー６０の脱落を防止している。
【００３４】
覆い部６１は、図１、図５から図７に示すように、下方に開口する前後方向に長い方形のフード状に形成されている。覆い部６１の前壁、左右の側壁、後端両側の後端角部６５の内側には、内側に向けて突出する筒状の補強部６６が設けられており、この補強部６６によって各壁や各後端角部６５が補強されている。
【００３５】
覆い部６１の後部における天井壁には、底面視十字状をなす位置決め部６４が、覆い部６１の天井壁から覆い部６１の上下方向略中央部の位置まで突出して形成されている。位置決め部６４は、バッテリ端子２０および電線端子５０に対して覆い部６１を上方から組み付ける際に、電線端子５０の繋ぎ部５２に上方から当接するようになっており、位置決め部６４と繋ぎ部５２とが上下方向に当接することにより、バッテリ端子２０および電線端子５０に対する覆い部６１の上下方向の高さ位置が位置決めされるようになっている。
【００３６】
覆い部６１の後部における位置決め部６４の左右方向両側には、電線端子５０の繋ぎ部５２における前端部に係止することで端子カバー６０をバッテリ端子２０に組み付ける一対の弾性係止片６３が設けられている。一対の弾性係止片６３は、覆い部６１の天井壁から左右に対向した形態で下方に延出された形態をなしており、一対の弾性係止片６３は、互いに左右方向に弾性変位可能とされている。一対の弾性係止片６３の下端部には、図５に示すように、互いに内側に向かって突出する係止爪６３Ａが設けられており、各係止爪６３Ａは、図１、図６および図７に示すように、前後方向に延びた形態をなしている。
【００３７】
一対の係止爪６３Ａは、端子カバー６０の上方からの組み付け過程において、各弾性係止片６３が左右方向に弾性変位することにより、繋ぎ部５２を乗り越えて、繋ぎ部５２の左右方向両側縁の下方に僅かなクリアランスを有した状態で配される。一対の係止爪６３Ａが繋ぎ部５２の両側縁の下方に配されると、繋ぎ部５２の左右両側縁と一対の係止爪６３Ａとが上下に係止することで、覆い部６１が端子本体２１および電線端子５０を覆った状態に保持されるようになっている。
【００３８】
また、覆い部６１の前端下部は、左右両方向に開口しており、これらの開口を設けることにより、バッテリ端子２０の締付部材４０と覆い部６１とが干渉することを防ぐことができるようになっている。また、覆い部６１の前端下部は、前方にも開口しており、前端開口上縁に指などを引っ掛けることにより、バッテリ端子２０および電線端子５０を覆った端子カバー６０を容易に取り外すことができるようになっている。
【００３９】
さて、電線端子５０の繋ぎ部５２のうち、バッテリ本体Ｂの後面Ｂ３に沿って配される上下に延びた垂直部５２Ａの左右両側縁には、図１、図３および図４に示すように、上下に延びた一対の嵌合片（「嵌合部」の一例）５６が設けられており、端子カバー６０には、図１に示すように、同端子カバー６０が電線端子５０に組み付けられた際に、一対の嵌合片５６が下方から内部に嵌合する一対の傾き抑制凹部（「傾き抑制部」の一例）６７が設けられている。
【００４０】
一対の嵌合片５６は、図１および図３に示すように、垂直部５２Ａの側縁に沿うように板厚方向よりも長い略矩形平板状に形成されており、図２および図４に示すように、板厚方向が前後方向となる配置で垂直部５２Ａから互いに離れるように外方に向かって突設されている。
【００４１】
一方、一対の傾き抑制凹部６７は、図６および図７に示すように、覆い部６１の補強部６６のうち、後端両側の後端角部６５に配された一対の後端補強部６６Ａの互いに対向する壁部にスリット６８を設けることにより形成されている。
各傾き抑制凹部６７は、スリット６８の前後両側に配された後端補強部６６Ａの内側縁６７Ａと覆い部６１の天井壁とによって構成されており、後端補強部６６Ａの下端部と同じ高さ位置から上方に真っ直ぐ凹んだ凹状に形成さている。
【００４２】
また、傾き抑制凹部６７における前後両側の内側縁６７Ａ間の寸法（スリット６８の前後方向の寸法）は、図１および図６に示すように、嵌合片５６の板厚寸法よりも僅かに大きい寸法に設定されており、傾き抑制凹部６７内に嵌合片５６が嵌合されると、傾き抑制凹部６７の前後両側の内側縁６７Ａと嵌合片５６とが前後方向に近接して配され、覆い部６１が前後方向に僅かに変位することで、嵌合片５６の前面５６Ａと傾き抑制凹部６７の前側の内側縁６７Ａ、嵌合片５６の後面５６Ｂと傾き抑制凹部６７の後側の内側縁６７Ａとが前後方向に当接可能となる。
【００４３】
また、一対の傾き抑制凹部６７の後側の内側縁６７Ａの間には、図６に示すように、後側の内側縁６７Ａ間を左右方向に繋ぐ補助抑制壁（「補助抑制部」の一例）６９が設けられている。この補助抑制壁６９は、図１に示すように、端子カバー６０が電線端子５０に組み付けられた際に、垂直部５２Ａの後方に近接して配されるようになっており、補助抑制壁６９が垂直部５２Ａの後方に配されると、垂直部５２Ａの後面全体が補助抑制壁６９によって後方から完全に覆われるようになっている。
【００４４】
本実施形態は、以上のような構成であって、続いて、バッテリポストＢ１に対してバッテリ端子ユニット１０の組み付け手順を簡単に説明すると共に、バッテリ端子ユニット１０の作用および効果について説明する。
【００４５】
まず、バッテリ端子２０の端子本体２１におけるポスト嵌合部２２を、バッテリ本体ＢのバッテリポストＢ１に上方から嵌合させ、締付ボルト４１に組み付けられた締付ナット４５を締め込む。
【００４６】
ここで、当初は、バッテリポストＢ１にポスト嵌合部２２が固定されていないため、他の部材などがバッテリ端子２０に当接すると、バッテリ端子２０がバッテリポストＢ１を中心に回動変位することが懸念されるが、回動抑制部材３０の回動抑制部３２がバッテリ本体Ｂの後面Ｂ３に対して当接することで、バッテリ端子２０を正規の位置に位置決めすることができる。
【００４７】
そして、締付ボルト４１に対する締付ナット４５の締め込みが進むと、一対の被締付片２４の間隔が狭まってポスト嵌合部２２が縮径することにより、バッテリポストＢ１の外周面にポスト嵌合部２２が密着し、図１に示すように、バッテリ端子２０がバッテリポストＢ１に接続固定される。
【００４８】
次に、電線Ｗに接続された電線端子５０のボルト挿通孔５４に、バッテリ端子２０の端子接続部２３におけるスタッドボルト２６を挿通し、スタッドボルト２６に対してナット２７を締め込むことで、バッテリ側接続部５１が取付台２５にボルト接続され、バッテリ端子２０に電線端子５０が接続固定される。
【００４９】
最後に覆い部６１によってバッテリ端子２０および電線端子５０を覆うようにして電線端子５０の繋ぎ部５２に、端子カバー６０の覆い部６１における一対の弾性係止片６３を係止させる。
【００５０】
ここで、繋ぎ部５２の前端部に弾性係止片６３を係止させ、端子カバー６０の電線端子５０への組み付けが完了すると、傾き抑制凹部６７内に嵌合片５６が下方から嵌合され、傾き抑制凹部６７の前後両側の内側縁６７Ａと嵌合片５６とが前後方向に近接して配される。また、電線端子５０の繋ぎ部５２における垂直部５２Ａの後方に補助抑制壁６９が近接して配され、垂直部５２Ａの後面全体が補助抑制壁６９によって後方から完全に覆われる。
以上のようにして、バッテリポストＢ１に対するバッテリ端子ユニット１０の組み付けが完了する。
【００５１】
ところで、端子カバー６０は、覆い部６１の後部に設けられた一対の弾性係止片６３によって電線端子５０の繋ぎ部５２に組み付けられており、一対の弾性係止片６３の係止爪６３Ａと繋ぎ部５２との間には、僅かなクリアランスがあるため、例えば、覆い部６１に他の部材が接触するなど、覆い部６１の後部に力が加わると、覆い部６１が弾性係止片６３の位置を支点に上下方向に傾いて覆い部６１の前端部が浮き上がり、覆い部６１からバッテリ端子２０や電線端子５０が露出することが懸念される。
【００５２】
ところが、本実施形態によると、端子カバー６０の後端両側に配された傾き抑制凹部６７における前後両側の内側縁６７Ａが、電線端子５０の嵌合片５６と前後方向に近接して配されているから、覆い部６１の後部に力が加わった際には、各傾き抑制凹部６７の前後両側の内側縁６７Ａが、嵌合片５６の前面５６Ａおよび後面５６Ｂに前後方向に面接触して支持される。また、これに加えて、さらに補助抑制壁６９が垂直部５２Ａの後面に後方から面接触して支持される。これにより、端子カバー６０の覆い部６１が弾性係止片６３の位置を支点に上下方向に傾いて浮き上がることを抑制することができ、端子カバー６０の覆い部６１の浮き上がりに起因してバッテリ端子２０や電線端子５０に不具合が生じたり、見栄えが悪くなったりすることを抑制することができる。
【００５３】
また、本実施形態によると、上下方向に延びた嵌合片５６が傾き抑制凹部６７の内側縁６７Ａに対して全高に亘って前後方向に面接触するから、例えば、嵌合部が傾き抑制凹部の内側縁に点接触する場合に比べて、覆い部６１が上下方向に傾くことを広範囲に亘って抑制することができ、ひいては、覆い部６１が浮き上がることを抑制することができる。
【００５４】
ところで、例えば、嵌合片を電線端子ではなくバッテリ端子の端子本体に設けて、端子本体の嵌合片と端子カバーの傾き抑制凹部とを嵌合させ、端子カバーの傾きを抑制する方法が考えられる。しかしながら、本実施形態のようにバッテリポストＢ１の周りがバッテリ本体Ｂによって囲まれるなど、スペースが制限されている場合には、端子本体に嵌合片を設けると、バッテリ端子が大型化することで、バッテリ端子とバッテリ本体と干渉する虞がある。
【００５５】
ところが、このような場合においても、本実施形態は、嵌合片５６が、バッテリ本体Ｂの後面Ｂ３に沿って配される電線端子５０の垂直部５２Ａに設けられているから、電線端子５０とバッテリ本体Ｂとが干渉することを防ぐことができる。
【００５６】
さらに、本実施形態によると、端子カバー６０が組み付けられる電線端子５０の繋ぎ部５２の垂直部５２Ａに嵌合片５６が設けられているから、端子カバー６０の弾性係止片６３が係止する部分と嵌合片５６との相対位置を精度良く位置決めすることができる。これにより、例えば、端子カバーが係止される電線端子とは異なるバッテリ端子に嵌合片を設ける場合に比べて、組み付けのずれなどによる端子カバー６０の前後方向のがたつきや傾きをさらに抑制することができる。
【００５７】
以上のように、本実施形態によると、嵌合片５６に近接して配された傾き抑制凹部６７の前後両側の内側縁６７Ａが、嵌合片５６の前面５６Ａおよび後面５６Ｂに対して前後方向に面接触して支持されるから、端子カバー６０の覆い部６１が弾性係止片６３の位置を支点に上下方向に傾いて浮き上がることを抑制することができる。これにより、端子カバー６０の覆い部６１の浮き上がりに起因してバッテリ端子２０や電線端子５０に不具合が生じたり、見栄えが悪くなったりすることを防ぐことができる。
【００５８】
また、本実施形態によると、傾き抑制凹部６７に加えて補助抑制壁６９が電線端子５０の垂直部５２Ａの後面に面接触して支持されるから、端子カバー６０の覆い部６１が上下に傾いて浮き上がることをさらに抑制することができる。
【００５９】
さらに、本実施形態によると、電線端子５０に対して端子カバー６０を上方から組み付ける際に、傾き抑制凹部６７内に嵌合片５６を下方から嵌合させ、嵌合片５６と傾き抑制凹部６７とを前後方向に近接して配することができるから、例えば、電線端子に端子カバーを係止する作業と、嵌合片と傾き抑制凹部とを嵌合させる作業とを、個別に行う場合に比べて、作業工数を削減することができる。
ができる。
【００６０】
＜他の実施形態＞
本明細書で開示される技術は上記記述及び図面によって説明した実施形態に限定されるものではなく、例えば次のような種々の態様も含まれる。
【００６１】
（１）上記実施形態では、電線端子５０にのみ設けられた嵌合片５６に端子カバー６０の傾き抑制凹部６７を嵌合させ、嵌合片５６と傾き抑制凹部６７とを前後に面接触させる構成にした。しかしながら、これに限らず、バッテリ端子の端子本体や回動抑制部に嵌合片を設けて、端子本体の嵌合片もしくは回動抑制部の嵌合片と傾き抑制凹部とを前後に当接させる構成にしてもよい。また、電線端子の嵌合片だけでなく、回動抑制部の嵌合片など複数の嵌合片と複数の傾き抑制凹部を前後に当接させる構成にしてもよい。
（２）上記実施形態では、電線端子５０に端子カバー６０を上方から組み付ける際に、電線端子５０の嵌合片５６が端子カバー６０の傾き抑制凹部６７内に嵌合する構成とした。しかしながら、これに限らず、電線端子に端子カバーを上方から組み付けた後、端子カバーを前後にずらすことにより、嵌合片と傾き抑制部とを前後に近接して配する構成にしてもよい。
（３）上記実施形態では、嵌合片５６と傾き抑制凹部６７の前後両側の内側縁６７Ａとが前後方向に当接可能に近接して配される構成とした。しかしながら、これに限らず、電線端子の嵌合片の前面にのみ近接して配される傾き抑制壁を端子カバーに設け、嵌合片と傾き抑制壁とを前後方向に当接させる構成にしてもよい。
（４）上記実施形態では、嵌合片５６の前面５６Ａおよび後面５６Ｂと傾き抑制凹部６７の前後両側の内側縁６７Ａとが面接触する構成とした。しかしながら、これに限らず、嵌合片と傾き抑制部とが前後方向に点接触する構成にしてもよい。
【符号の説明】
【００６２】
１０：バッテリ端子ユニット
２０：バッテリ端子
２２：端子接続部
５０：電線端子
５１：バッテリ側接続部
５２：繋ぎ部（延出部）
５６：嵌合片（嵌合部）
６０：端子カバー
６７：傾き抑制凹部（傾き抑制部）
６９：補助抑制壁（補助抑制部）
Ｂ：バッテリ本体
Ｂ１：バッテリポスト
Ｗ：電線
【図１】
2016095912.tif 000003
【図２】
2016095912.tif 000004
【図３】
2016095912.tif 000005
【図４】
2016095912.tif 000006
【図５】
2016095912.tif 000007
【図６】
2016095912.tif 000008
【図７】
2016095912.tif 000009